(57)【特許請求の範囲】
【請求項１】
台所用流しのシンク部と、前記シンク部の下方から外部に向って延びる排水管との間に設けられ、前記シンク部と前記排水管の上端部とを接続する台所用流しの排水構造であって、前記シンク部に設けられた排水口と前記排水管の上端部とを接続する排水用接続管と、前記シンク部に設けられた高圧洗浄口と前記排水用接続管の下流側部分とを接続する高圧洗浄用管とを備え、前記排水用接続管と前記高圧洗浄用管との合流部よりも下流側部分に、前記排水口から前記排水管の上端部の方向に向って水平方向に延びる合流水平部が形成され、かつ前記合流水平部を切断することにより前記合流水平部の水平方向の長さを調節可能にし、さらに、前記排水用接続管における前記合流部よりも上流側部分が、前記排水口から下方に延びる垂下部と、前記垂下部の下端から屈曲して上方に向うように方向を変える屈曲部と、前記垂下部よりも短く設定され前記屈曲部から上方に延びる上昇部とを備え、前記上昇部の上端部から前記合流水平部が水平方向に延びていることを特徴とする台所用流しの排水構造。
【発明の詳細な説明】
【技術分野】
【０００１】
本発明は、台所用流しのシンク部とシンク部の下方から外部に向って延びる排水管との間に設けられ、シンク部と排水管の上端部とを接続する台所用流しの排水構造に関する。
【背景技術】
【０００２】
従来から、台所で用いられる台所用流しのシンク部には、排水管に接続された排水口が設けられ、シンク部に流された湯水が、排水口から排水管を介して外部に排出されるようになっている（例えば、特許文献１参照）。また、このような台所用流しのシンク部の排水口と排水管の上端部との間には、排水口と排水管を接続する所定の排水構造が形成されて、排水口から排水管への湯水の流れをスムーズにするとともに、排水管内で発生する匂いがシンク部側に流れてこないようにしている。
【特許文献１】特開平１１−２００４４４号公報
【発明の開示】
【０００３】
前述した従来の台所用流しでは、シンク部の排水口と排水管とを排水構造によって接続する際には、排水管を所定の長さに切断したり、排水構造を構成する接続用の管部材を所定の長さに切断したりして、長さを調節することにより排水口と排水管との接続が適正な状態で行えるようにしている。しかしながら、最近では、排水構造を構成する管部材の内部や排水管の内部における所定部分が異物で詰まったり、汚れが溜まったりした場合に、その部分を高圧の洗浄水で洗浄するための高圧洗浄管を排水用の管と別途設けた排水構造が用いられている。
【０００４】
このような高圧洗浄管を備えた排水構造を用いてシンク部に設けられた排水口や、高圧洗浄管が接続される高圧洗浄口と、排水管とをそれぞれ接続する場合には、排水構造における排水用の管部材と、高圧洗浄管との双方の長さを調節しながら配管どうしの接続をしなければならないため、作業が煩雑になるという問題が生じていた。特に、排水構造における排水用の管部材と高圧洗浄管とが異なる角度で配置されて延びる方向が異なっていた場合には、その作業がさらに困難になる。
【０００５】
本発明は、前述した問題に対処するためになされたもので、その目的は、排水用接続管と高圧洗浄用管との長さを調節可能にすることにより、シンク部と排水管との接続を容易にできる台所用流しの排水構造を提供することである。
【００１４】
前述した目的を達成するため、本発明に係る台所用流しの排水構造の構成上の特徴は、台所用流しのシンク部と、シンク部の下方から外部に向って延びる排水管との間に設けられ、シンク部と排水管の上端部とを接続する台所用流しの排水構造であって、シンク部に設けられた排水口と排水管の上端部とを接続する排水用接続管と、シンク部に設けられた高圧洗浄口と排水用接続管の下流側部分とを接続する高圧洗浄用管とを備え、排水用接続管と高圧洗浄用管との合流部よりも下流側部分に、排水口から排水管の上端部の方向に向って水平方向に延びる合流水平部が形成され、かつ合流水平部を切断することにより合流水平部の水平方向の長さを調節可能にし、さらに、排水用接続管における合流部よりも上流側部分が、排水口から下方に延びる垂下部と、垂下部の下端から屈曲して上方に向うように方向を変える屈曲部と、垂下部よりも短く設定され屈曲部から上方に延びる上昇部とを備え、上昇部の上端部から合流水平部が水平方向に延びていることにある。
【００１５】
前述したように構成した本発明の台所用流しの排水構造では、排水用接続管と高圧洗浄用管との合流部よりも下流側部分に、排水口から排水管の上端部の方向に向って水平方向に延びる合流水平部が形成されている。したがって、予め、合流水平部を長めに形成しておき、合流水平部を、排水口と排水管の上端部との平面視による長さに切断することにより、排水用接続管と高圧洗浄用管を介したシンク部と排水管との接続を適正状態で行うことができる。この場合、長さの調節が必要な部分が合流水平部だけであるため、調節が容易になるとともに作業が簡単になる。
【００１６】
本発明に係る台所用流しの排水構造では、排水用接続管における合流部よりも上流側部分が、排水口から下方に延びる垂下部と、垂下部の下端から屈曲して上方に向うように方向を変える屈曲部と、垂下部よりも短く設定され屈曲部から上方に延びる上昇部とを備え、上昇部の上端部から合流水平部が水平方向に延びている。これによっても、台所内に悪臭が生じることを防止できるとともに、排水用接続管を介しての適正な排水および高圧洗浄用管を介しての適正な高圧洗浄が可能になる。
【発明を実施するための最良の形態】
【００１７】
（第１実施形態）
以下、本発明の第１実施形態に係る台所用流しの排水構造を図面を用いて詳しく説明する。図１は、同実施形態に係る排水構造を備えた台所用流し１０を示している。この台所用流し１０の上面には、シンク部１１や、加熱装置（図示せず）が設けられている。シンク部１１は、調理用の材料や食器等を洗ったりするために使用され、加熱装置は食材の加熱等に使用される。そして、シンク部１１の縁部には水栓１２が設けられ、シンク部１１の底部にはシンク部１１内やシンク部１１近傍の他の部分で使用した湯水を排出するための排出凹部１３が形成されている。また、台所用流し１０の内部には各種の収容部が形成されており、その内部に、食器洗浄乾燥機１４や各種の引き出し１５等が設けられている。
【００１８】
シンク部１１における排出凹部１３の下方には、図２ないし図４に示した排水構造２０が設けられている。すなわち、図２に示したように、排出凹部１３の底部１３ａには、排水口２１と高圧洗浄口２２とが並んで形成されている。この高圧洗浄口２２は、高圧洗浄を行うとき以外の通常時には栓２２ａによって閉塞されている。また、排出凹部１３の底部１３ａの下部側には、固定部材およびシール材からなる固定部１６が固定されている。そして、排水口２１には固定部１６を介して排水用接続管２３の上端部が接続され、高圧洗浄口２２には固定部１６を介して高圧洗浄用管２４の上端部が接続されている。
【００１９】
排水用接続管２３は、排水口２１から下方に向って延びたのちに屈曲して水平方向に延びる略Ｌ形の固定部２３ａの水平側の端部と、固定部２３ａの水平側の端部から水平方向に向かって延びたのちに屈曲して下方に延びる略Ｌ形の長さ調節部２３ｂの水平側の端部とを締付部材２３ｃで締め付けて連結することにより構成されている。そして、さらに、長さ調節部２３ｂの下端部には、トラップ２６の上面に突出する連結管２５の上端部が連結部材２５ａを介して連結されている。この連結管２５は本発明に係る排水用接続管の一部（下端部）を構成しており、排水用接続管２３と連結管２５とで本発明の排水用接続管が構成される。
【００２０】
また、高圧洗浄用管２４は、高圧洗浄口２２から下方に向って延びたのちに屈曲して水平方向に延びる略Ｌ形の固定部２４ａの水平側の端部と、固定部２４ａの水平側の端部から水平方向に向かって延びたのちに屈曲して下方に延びる略Ｌ形の長さ調節部２４ｂの水平側の端部とを締付部材２４ｃで締め付けて連結することにより構成されている。そして、長さ調節部２４ｂの下端部は連結部材２７を介してトラップ２６の上面に連結されている。なお、排水用接続管２３の固定部２３ａの水平部分と、長さ調節部２３ｂの水平部分とで、本発明の排水用水平部が構成され、高圧洗浄用管２４の固定部２４ａの水平部分と、長さ調節部２４ｂの水平部分とで、本発明の高圧洗浄用水平部が構成されている。そして、排水用水平部と高圧洗浄用水平部とは平行して配置されている。
【００２１】
トラップ２６は、平面視および正面視が長方形の箱状に形成され、内部に、連結管２５を介して排水用接続管２３の長さ調節部２３ｂに連通する水溜め部２６ａと、高圧洗浄用管２４の長さ調節部２４ｂに連通する通過空間部２６ｂとが形成されている。すなわち、長さ調節部２３ｂに連結された連結管２５の下端部は、水溜め部２６ａ内の上下方向の中央部よりもやや下方まで延びており、水溜め部２６ａと通過空間部２６ｂとの間には、高さが連結管２５の下端部よりも高くなった仕切り壁２６ｃが形成されている。
【００２２】
したがって、シンク部１１から排水口２１を通過して排水用接続管２３内を流れる湯水は、一旦、水溜め部２６ａ内に溜まったのちに、溢れた湯水が仕切り壁２６ｃを超えて通過空間部２６ｂ側に流れていく。このため、水溜め部２６ａ内には常時一定の湯水が溜まって連結管２５の下端開口部を閉塞するようになる。また、高圧洗浄用管２４の長さ調節部２４ｂの下端開口部は通過空間部２６ｂの天井部に開口している。このため、栓２２ａを外して、高圧洗浄口２２から高圧の洗浄水を流した場合には、その洗浄水は、高圧洗浄用管２４から通過空間部２６ｂ内に入り、そのまま通過空間部２６ｂ内を通過する。
【００２３】
また、トラップ２６の底部における通過空間部２６ｂ側部分には、固定ナット２８ａを介して、排水管２８が連結されている。この排水管２８は、外部の所定位置まで延びており、通過空間部２６ｂ内から流れてくる湯水を外部に排出する。なお、トラップ２６における水溜め部２６ａの底部には、水抜き用の穴部を備えた円筒部２９が設けられ、この円筒部２９の穴部が着脱可能なキャップ２９ａで閉塞されている。また、排水用接続管２３の長さ調節部２３ｂと、高圧洗浄用管２４の長さ調節部２４ｂとは、支持部材２７ａによって、互いに固定されることにより補強されている。
【００２４】
この構成において、排出凹部１３の底部１３ａの下部側に取り付けられた固定部１６と排水管２８とを、排水用接続管２３およびトラップ２６で接続する場合には、まず、排水用接続管２３の長さ調節部２３ｂを長めに製造しておき、設置現場において、排水用接続管２３の締付部材２３ｃを緩めて固定部２３ａと長さ調節部２３ｂとを外した状態にする。ついで、固定部２３ａの上端部を固定部１６に固定し、長さ調節部２３ｂの下端部をトラップ２６の上面に固定された連結管２５に連結する。つぎに、固定部２３ａの水平側の先端部が長さ調節部２３ｂの水平側の先端部に合うように、長さ調節部２３ｂの先端側部分を切断する。
【００２５】
そして、固定部２３ａの先端面と長さ調節部２３ｂの先端面とを合わせた状態で締付部材２３ｃを締め付けて、固定部２３ａの先端部と長さ調節部２３ｂの先端部とを固定する。これによって、排水用接続管２３と連結管２５とからなる排水用接続管およびトラップ２６を用いた排水口２１と排水管２８との接続ができる。同様に、排出凹部１３の底部１３ａの下部側に取り付けられた固定部１６と排水管２８とを、高圧洗浄用管２４およびトラップ２６で接続する場合には、まず、高圧洗浄用管２４の長さ調節部２４ｂを長めに製造しておき、設置現場において、高圧洗浄用管２４の締付部材２４ｃを緩めて固定部２４ａと長さ調節部２４ｂとを外した状態にする。
【００２６】
ついで、固定部２４ａの上端部を固定部１６に固定し、長さ調節部２４ｂの下端部をトラップ２６の上面に連結する。つぎに、固定部２４ａの水平側の先端部が長さ調節部２４ｂの水平側の先端部に合うように、長さ調節部２４ｂの先端側部分を切断する。そして、固定部２４ａの先端面と長さ調節部２４ｂの先端面とを合わせた状態で締付部材２４ｃを締め付けて、固定部２４ａの先端部と長さ調節部２４ｂの先端部とを固定する。これによって、高圧洗浄用管２４とトラップ２６を用いた排水口２１と排水管２８との接続ができる。この場合、長さ調節部２３ｂ，２４ｂの切断する部分を変えることにより、各設置現場に応じた適正な取り付けが可能になる。
【００２７】
また、台所用流し１０を調理等の通常の使用方法で使用する場合には、栓２２ａで高圧洗浄口２２を閉塞した状態で、水栓１２や加熱装置等を使用する。この場合、シンク部１１内に入った湯水は、排水口２１から排水用接続管２３内の各部分および連結管２５を通過して、水溜め部２６ａ内に入る。そして、すでに、水溜め部２６ａ内に溜まっていた水を通過空間部２６ｂ側に押しやったのちに続いて通過空間部２６ｂ側に流れていく。そして、最後の所定量は水溜め部２６ａ内に溜まったままになる。このため、排水管２８内で発生する悪臭が逆流してきても、その悪臭は、通過空間部２６ｂから上端部が栓２２ａで閉塞された高圧洗浄用管２４内に流れるだけで、水溜め部２６ａ内には入ることがない。このため、シンク部１１側に悪臭が流れてくることはない。
【００２８】
また、排水管２８内が異物で詰まったり排水管２８内に汚れが溜まったりして、洗浄が必要になった場合には、栓２２ａを外して高圧洗浄口２２を開口させる。そして、高圧洗浄機（図示せず）の給水口を水栓１２に接続するとともに、吐出口を高圧洗浄口２２に取り付ける。その状態で、高圧洗浄機から洗浄水を高圧で吐出させることにより、排水管２８内を洗浄する。この場合、高圧洗浄機から吐出された洗浄水は、高圧洗浄口２２から高圧洗浄用管２４内の各部分を通過して、通過空間部２６ｂ内に入り、通過空間部２６ｂからそのまま勢いよく排水管２８内に流れていく。そして、排水管２８内を高圧洗浄していく。
【００２９】
このように、本実施形態に係る排水構造２０では、排水用接続管２３の水平部分と高圧洗浄用管２４の水平部分とが平行に配置されている。したがって、予め、長さ調節部２３ｂ，２４ｂを長めに形成しておき、設置現場において、固定部１６と排水管２８との間隔に応じて適宜切断することができる。これによって、シンク部１１の下部側の固定部１６と排水管２８との接続を適正状態で行うことができる。また、排水用接続管２３および高圧洗浄用管２４と排水管２８の上端部との間にはトラップ２６が設けられているため、排水管２８側で発生する匂いがトラップ２６内で遮断されシンク部１１側には漏れなくなる。これによって、台所内に悪臭が生じることが防止される。
【００３０】
（第２実施形態）
図５は、本発明の第２実施形態に係る排水構造３０を示している。この排水構造３０では、排水用接続管３３と高圧洗浄用管３４とが平行して延びるのではなく、高圧洗浄用管３４が、排水用接続管３３の所定部分に合流するように構成されている。すなわち、排水用接続管３３は、シンク部における排水口（図示せず）の下部側に設けられた固定部１６ａから下方に延びる垂下部３３ａと、垂下部３３ａの下端から屈曲して上方に向うように方向を変える略Ｕ形の屈曲部３３ｂと、屈曲部３３ｂから上方に向って延び垂下部３３ａよりも長さが短い上昇部３３ｃとを備えている。
【００３１】
そして、上昇部３３ｃの上端部から連結水平部３３ｄが水平方向に延び、連結水平部３３ｄの先端部に、締付部材３５ａを介して、本発明の合流水平部を備えた長さ調節部３５が連結されている。長さ調節部３５は、水平方向に延びたのちに屈曲して下方に延びる略Ｌ形の管部材で構成されている。そして、長さ調節部３５の下端部は、連結部材３７を介して排水管３８の上端部に連結されている。また、排水用接続管３３における屈曲部３３ｂの下端部には、水抜き用の穴部を備えた円筒部３９が設けられ、この円筒部３９の穴部が着脱可能なキャップ３９ａで閉塞されている。
【００３２】
そして、高圧洗浄用管３４は、シンク部における高圧洗浄口（図示せず）から固定部１６ａを介して下方に延びたのちに屈曲して水平方向に延びながら排水用接続管３３の連結水平部３３ｄに接続されている。すなわち、排水用接続管３３と高圧洗浄用管３４とは一体的に形成されている。また、排水用接続管３３の垂下部３３ａ上部側部分と、高圧洗浄用管３４の略中央部分とは、支持部材３２によって、互いに固定されることにより補強されている。この排水構造３０のそれ以外の部分の構成については、前述した第１実施形態に係る排水構造２０と同一である。また、この排水構造３０が取り付けられるシンク部および排水管３８も前述した第１実施形態のシンク部１１および排水管２８と同様のものである。
【００３３】
この構成において、シンク部の下部側に取り付けられた固定部１６ａと排水管３８とを、高圧洗浄用管３４と一体になった排水用接続管３３を用いて接続する場合には、まず、長さ調節部３５を長めに製造しておき、設置現場において、締付部材３５ａを緩めて、排水用接続管３３および高圧洗浄用管３４側部分と長さ調節部３５とを外した状態にする。ついで、垂下部３３ａの上端部を固定部１６ａにおける排水口に対応する部分に固定するとともに、高圧洗浄用管３４の上端部を固定部１６ａにおける高圧洗浄口に対応する部分に固定する。つぎに、長さ調節部３５の下端部を排水管３８の上端部に固定する。
【００３４】
ついで、連結水平部３３ｄの先端部が長さ調節部３５の水平側の先端部に合うように、長さ調節部３５の水平側の先端側部分を切断する。そして、連結水平部３３ｄの先端面と長さ調節部３５の先端面とを合わせた状態で締付部材３５ａを締め付けて、連結水平部３３ｄの先端部と長さ調節部３５の先端部とを固定する。これによって、高圧洗浄用管３４と一体になった排水用接続管３３を用いた排水口と排水管３８との接続ができる。この場合、長さ調節部３５の切断する部分を変えることにより、各設置現場に応じた取り付けが可能になる。また、長さの調節が必要な部分が長さ調節部３５だけであるため、調節が容易になるとともに作業が簡単になる。この排水構造３０のそれ以外の作用効果については、前述した第１実施形態に係る排水構造２０と同様である。
【００３５】
また、本発明に係る台所用流しの排水構造は、前述した各実施形態に限るものでなく、適宜変更して実施することができる。例えば、前述した第２実施形態の排水構造３０では、高圧洗浄用管３４を、排水用接続管３３の連結水平部３３ｄに接続して、排水用接続管３３と高圧洗浄用管３４とを一体的に形成しているが、この排水用接続管３３と高圧洗浄用管３４とを平行して延びる別体のもので構成することもできる。この場合、排水用接続管３３と高圧洗浄用管３４との下端部を、それぞれ排水管３８に連結する。また、本発明に係る台所用流しの排水構造のそれ以外の部分の構成についても本発明の技術的範囲内で適宜変更することができる。
【図面の簡単な説明】
【００３６】
【図１】本発明の第１実施形態に係る台所用流しの排水構造を供えた台所用流しを示した斜視図である。
【図２】台所用流しの排水構造を示した平面図である。
【図３】台所用流しの排水構造を示した正面図である。
【図４】トラップの内部を示した断面図である。
【図５】本発明の第２実施形態に係る台所用流しの排水構造を示した正面図である。
【符号の説明】
【００３７】
１０…台所用流し、１１…シンク部、２０，３０…排水構造、２１…排水口、２２…高圧洗浄口、２３，３３…排水用接続管、２３ａ，２４ａ…固定部、２３ｂ，２４ｂ，３５…長さ調節部、２３ｃ，２４ｃ，３５ａ…締付部材、２４…高圧洗浄用管、２５…連結管、２６…トラップ、２６ａ…水溜め部、２６ｂ…通過空間部、２６ｃ…仕切り壁、２８，３８…排水管、３３ａ…垂下部、３３ｂ…屈曲部、３３ｃ…上昇部、３３ｄ…連結水平部、３４…高圧洗浄用管。
【図１】
0004656574.tif 000002
【図２】
0004656574.tif 000003
【図３】
0004656574.tif 000004
【図４】
0004656574.tif 000005
【図５】
0004656574.tif 000006